(57)【要約】【課題】安全性がより高く、低コストで運用することができる海苔の検査灯を提供する。【解決手段】本考案に係る海苔検査灯は、電球型のＬＥＤ灯を有するブラケット灯と、前記ブラケット灯の両側に配置される直管型のＬＥＤ灯を有する直管灯と、を備える。【選択図】図１
0003168846.tif 000002
【実用新案登録請求の範囲】
【請求項１】
電球型のＬＥＤ灯を有するブラケット灯と、
前記ブラケット灯の両側に配置される直管型のＬＥＤ灯を有する直管灯と、
を備えることを特徴とする海苔検査灯。
【請求項２】
請求項１に記載の検査灯であって、
前記直管灯は、前記ブラケット灯を間に挟んで、相互に平行に向き合うように配置される
ことを特徴とする海苔検査灯。
【請求項３】
請求項２に記載の検査灯であって、
前記直管灯は、
前記ブラケット灯の両側に複数本ずつ配置される直管型ＬＥＤ灯を有し、
前記直管型ＬＥＤ灯は、
前記ブラケット灯を挟んで相互に平行に向き合い、かつ、該ブラケット灯から離れるに従って、所定の角度でハの字型に広がるように配置される
ことを特徴とする海苔検査灯。
【考案の詳細な説明】
【技術分野】
【０００１】
本考案は、海苔の検査灯に関する。
【背景技術】
【０００２】
従来から、海苔の品質等級検査には水銀灯を備えた検査灯が用いられ、かかる検査灯の明かりに照らされた海苔の色や艶などを検査員が肉眼で識別することにより品質や等級が決定されている。
【考案の概要】
【考案が解決しようとする課題】
【０００３】
しかしながら、人体に有害な物質である水銀を用いた検査灯の使用は好ましくない。また、水銀灯を用いた検査灯は、比較的大きな消費電力を必要とするため、運用コストが嵩むという問題もある。
【０００４】
そこで、本考案は、安全性がより高く、低コストで運用可能な検査灯の提供を目的とする。
【課題を解決するための手段】
【０００５】
上記課題を解決するために、本考案に係る検査灯は、電球型のＬＥＤ灯を有するブラケット灯と、前記ブラケット灯の両側に配置される直管型のＬＥＤ灯を有する直管灯と、を備える、という特徴を有している。
【考案の効果】
【０００６】
本考案に係る検査灯によれば、安全性がより高く、低コストで運用することができる。
【図面の簡単な説明】
【０００７】
【図１】本考案の一実施形態に係る検査灯の全体像を示した図である。
【図２】本考案の一実施形態に係る検査灯の斜視図である。
【図３】本考案の一実施形態に係る検査灯の断面図である。
【図４】本考案の一実施形態に係る検査灯の平面図である。
【図５】本考案の一実施形態に係る直管灯の取り付け角度を示した図である。
【図６】本考案の一実施形態に係るブラケット灯を示した図である。
【図７】本考案の一実施形態に係る直管灯を示した図である。
【図８】本考案の一実施形態に係る検査灯と検査台までの距離を示した図である。
【考案を実施するための形態】
【０００８】
以下、本考案の一実施形態について図面を用いて説明する。
【０００９】
図１は、本実施形態に係る検査灯１００の全体像を示した図である。図示するように、検査灯１００は、本体部１０と、ブラケット灯２０と、直管灯３０と、を有している。
【００１０】
検査灯１００の本体部１０は、ブラケット灯２０および直管灯３０を内部に収容して固定する検査灯１００の筐体である。このような本体部１０は、端部と、天井部と、傾斜部と、を有している。
【００１１】
図２は、検査灯１００の斜視図である。図示するように、本体部１０の端部１は、本体部１０の両端に相当する部分であり、略等脚台形の輪郭を有している。すなわち、端部１は、上底２と、下底３と、上底２および下底３の端同士を結ぶ一対の斜辺４と、を有している。
【００１２】
天井部５は、本体部１０の天面に相当する部分であり、一方の端部上底２と他方の端部上底２との間に位置する。また、天井部５の所定位置には、ブラケット灯２０の放熱板２３が通る大きさに形成された貫通穴が形成されている。
【００１３】
図３は、検査灯１００の断面図である。図示するように、傾斜部６は、本体部１０の傾斜面に相当する部分であり、一方の端部１の斜辺４と他方の端部１の斜辺４との間に位置する。
【００１４】
このような端部１、天井部５、傾斜部６を有する本体部１０は、例えばプレス加工などにより、金属の板材から一体的に形成されればよい。若しくは、本体部１０は、個別の板材から形成された端部１、天面部５、傾斜部６が溶接によって相互に繋ぎ合わせられることによって形成されてもよい。
【００１５】
なお、本体部１０の長さは、一対の端部１同士の間の長さによって特定される。また、検査灯１００の幅は、端部１の幅すなわち下底３の長さによって特定される。また、検査灯１００の高さは、端部１の上底２および下底３の間の長さによって特定される。例えば、本実施形態に係る本体部１０の寸法は、長さ１２６０ｍｍ〜１３６０ｍｍ、幅１２００ｍｍ〜１３００ｍｍ、高さ５００ｍｍ〜６００ｍｍとなるように形成される。
【００１６】
次に、本体部１０におけるブラケット灯２０および直管灯３０の収容位置について説明する。図４は、図１の矢印方向から見た検査灯１００の平面図である。図示するように、検査灯１００は、本体部１０のほぼ中央にブラケット灯２０を配置し、ブラケット灯２０の両側に直管灯３０を配置している。
【００１７】
２つのブラケット灯２０は本体部１０に並列に収容され、天井部５にネジ止めされる。なお、２つのブラケット灯２０の各中心間の距離ｔ１や、端部１からブラケット灯２０の中心までの距離ｔ２は適宜設定されればよい。例えば、本実施形態では、２つのブラケット灯２０の中心間の距離ｔ１は４６０ｍｍに設定される。また、本体部１０の端部からブラケット灯２０の中心までの距離ｔ２は２２５ｍｍ〜４５０ｍｍに設定される。
【００１８】
なお、本体部１０にブラケット灯２０が固定されると、ブラケット灯２０の放熱板２３は天井面５の貫通穴を通り、本体部１０の外側に示現する。
【００１９】
直管灯３０は、本体部１０内でブラケット灯２０を間に挟んだ両側に各々配置され、傾斜部６の裏側にネジ止めされる。また、図５に示すように、直管灯３０は、検査灯１００の水平な仮想底面５０に対して所定の傾斜角（例えば、１０度〜６０度）で交わるように固定される。なお、傾斜角は適宜設定されればよい。なお、本実施形態の直管灯３０は、水平な仮想底面５０に対して１０度の傾斜角で交わるように固定される。
【００２０】
次に、ブラケット灯２０および直管灯３０について説明する。
【００２１】
図６（ａ）はブラケット灯２０の全体像を示した図である。また、図６（ｂ）は、ブラケット灯２０の断面図である。これらの図に示すように、ブラケット灯２０は、シェード２１と、電球型ＬＥＤ（Ｌｉｇｈｔ  Ｅｍｉｔｔｉｎｇ  Ｄｉｏｄｅ）灯２２と、放熱板２３と、ソケット２４と、フック２５と、を有している。
【００２２】
シェード２１は、一端２６から他端２７に向かって裾が徐々に広がる筒状の部材である。シェード２１は、ソケット２４に嵌め込まれた電球型ＬＥＤ灯２２の光をコントロールし、適切な強さの光を外部に開放する。また、光を拡散させる方向や光の強さを調節するために、シェード２１の内側面２８を多面構造（シェード２１の一端２６から他端２７に向かって所定の間隔で光を反射させる方向を異ならせた面を複数形成した構造）としても良い。
【００２３】
なお、本実施形態に係るシェード２１の寸法は、一端２６から他端２７までの高さが２８０ｍｍ、一端２６側（放熱板側）の直径が１７０ｍｍ、他端２７側の直径が４１０ｍｍとなるように設定される。
【００２４】
なお、シェード２１には、一端から他端に向かって徐々に広がる裾の開き具合（角度）に応じて４５度、６０度、１２０度などのタイプがあり、どのタイプを用いるかについては、検査灯が用いられる室内の明るさや壁の色味などに応じて適宜選択されればよい。
【００２５】
放熱板２３は、シェード２１とソケット２４との間に位置し、電球型ＬＥＤ灯２２の周りを囲む筒状の部材である。電球型ＬＥＤ灯２２は熱に弱い性質を有するため、放熱板２３は、点灯した電球型ＬＥＤ灯２２から発する熱を外部に逃がす役割を果たす。なお、放熱板２３は、アルミや胴など、伝熱効率の良い素材で形成されればよい。このような放熱板２３は、ブラケット灯２０が本体部１０に固定されると本体部１０の外側に位置することになる。そのため、効率よく電球型ＬＥＤ灯２２の熱を外部に逃がすことができる。
【００２６】
ソケット２４は、電球型ＬＥＤ灯２２を接続する電源端子である。また、ソケット２４は、電源に接続するための電源ケーブル（図示せず）を有している。
【００２７】
電球型ＬＥＤ灯２２は、発行ダイオードを用いた電球型の光源である。なお、本実施形態に用いられる電球型ＬＥＤ灯２２は、全光束：７３００Ｌｍ、平均照度（４ｍ離れた位置）：１８００Ｌｕｘ、色温度：３９００Ｋ〜６０００Ｋ、演色指数：Ｒａ＞７５、という規格のものが用いられる。
【００２８】
フック２５は、検査灯１００を所定位置に吊して固定するための部材である。フック２５はブラケット灯２０の一部であるが、ブラケット灯２０が本体部１０にネジ止めされるため、フック２５により検査灯１００そのものを所定箇所に吊すことができる。具体的には、図８に示すように、検査灯１００から検査台６０までの距離ｔ３が所望の距離（例えば、１７００ｍｍ）となるように、室内の所定箇所（図８では、天井７０から吊されたフックなど）にフック２５を引っかけて検査灯１００を吊す。
【００２９】
次に、直管灯３０について説明する。
【００３０】
図７（ａ）は、直管灯３０の全体像を示した図である。図７（ｂ）は、直管灯に収容されるＬＥＤ蛍光灯３１を示した図である。これらの図に示すように、直管灯３０は、直管型ＬＥＤ灯３１と、カバー３２と、を有している。
【００３１】
直管型ＬＥＤ灯３１は、並列に並べられた複数のＳＭＤ（Ｓｕｒｆａｃｅ  Ｍｏｕｎｔ  Ｄｅｖｉｃｅ）チップにＬＥＤを搭載した直管型の光源である。直管型ＬＥＤ灯３１の両端には、カバー３２の電極端子に接続するための電極部３３が形成されている。
【００３２】
なお、本実施形態に係る直管型ＬＥＤ灯３１は、全光束：１３００Ｌｍ〜１５００Ｌｍ、平均照度（１ｍ離れた位置）：４５０Ｌｕｘ〜５２０Ｌｕｘ、色温度：５５００Ｋ〜７０００Ｋ、演色指数：Ｒａ＞７０という規格のものが用いられる。
【００３３】
また、直管型ＬＥＤ灯３１には、透明タイプ、透明筋入りタイプ、乳白タイプなどがあり、どのタイプを用いるかについては、検査灯が用いられる室内の明るさや壁の色味などに応じて適宜選択されればよい。
【００３４】
カバー３２は、直管型ＬＥＤ灯３１を収容するための部材である。カバー３２は、３列の蛍光灯収容部を有し、各収容部の両端には直管型ＬＥＤ灯３１の電極部３３が接続される電極端子が形成されている。また、カバーは、各列すなわち各直管型ＬＥＤ灯３１ごとにドーム状の反射板を有している。そのため、直管型ＬＥＤ灯３１から放射された光は、反射板に反射して、カバー３２の外側に開放される。
【００３５】
以上のように、本体部の所定位置にブラケット灯および直管灯を配置した検査灯は、海苔の品質等級検査に最適な光を放射する。つまり、検査灯の中央に位置するブラケット灯の光と、ブラケット灯の両側に配置される直管灯の光と、が相互に干渉し合い、海苔の色味や艶を検査するのに適切な光を検査灯から放射させることができる。したがって、本考案に係る検査灯によれば、破損時に危険な水銀灯を用いることなく、海苔の品質等級検査に適した照明を提供することができる。
【００３６】
更に、本考案に係る検査灯は、水銀灯に比べて電力消費量が小さいＬＥＤを用いているため、低コストで運用することができる。
【００３７】
なお、本考案は、前述の実施形態のものに限られない。複数のブラケット灯と、ブラケット灯を挟み込んだ両側に直管灯を収容できれば、本体部の形状はどのようなものであってもよい。
【００３８】
また、シェードの形状も前述の実施形態のものに限られない。すなわち、一端側（放熱板側）の直径、他端側の直径などは、ブラケット灯の所望の明るさを確保できる形状のものであればよい。
【００３９】
また、ブラケット灯の取り付け位置や、直管灯の取り付け位置および角度についても前述の実施形態に限られない。これらの位置関係については、検査灯を用いる検査室内の明るさや壁の色味などを考慮して適宜設定されればよい。
【符号の説明】
【００４０】
１００・・・検査灯、１０・・・本体部、２０・・・ブラケット灯、
３０・・・直管灯
【図１】
0003168846.tif 000003
【図２】
0003168846.tif 000004
【図３】
0003168846.tif 000005
【図４】
0003168846.tif 000006
【図５】
0003168846.tif 000007
【図６】
0003168846.tif 000008
【図７】
0003168846.tif 000009
【図８】
0003168846.tif 000010